(57)【要約】【課題】ユーザレベルで撮影条件等をコード化した媒体を作成することのできるようにする。【解決手段】画像データメモリ又は外部メモリから、選択されている画像の撮影情報を読み込み（ステップＳ２７）、設定条件に従い、撮影情報などを符号化して、２次元コード画像作成する（ステップＳ２８）。作成した２次元コード画像を前記選択されている画像の一部（隅部等）に合成する（ステップＳ２９）。この合成された画像データを圧縮符号化し、撮影情報とともに画像データメモリ又は外部メモリに記憶する（ステップＳ３０）。【選択図】    図４
2007166265.tif 000002
【特許請求の範囲】
【請求項１】
被写体を撮像する撮像手段と、
この撮像手段による前記被写体の撮像に関連する情報を取得する取得手段と、
この取得手段により取得された前記被写体の撮像に関連する情報を所定のコード画像に変換する変換手段と、
この変換手段により変換された前記所定のコード画像と前記撮像手段により撮像された被写体画像とを合成することにより前記コード画像を含む画像データを生成する生成手段と
を備えることを特徴とするカメラ装置。
【請求項２】
前記撮像に関連する情報は、前記撮像手段が前記被写体を撮像した際に当該カメラ装置に設定されている撮像条件であることを特徴とする請求項１又は２記載のカメラ装置。
【請求項３】
手動操作に応じて前記撮影条件を設定する設定手段を更に備え、
前記撮像手段は、前記設定手段により設定された撮影条件に従って撮像動作し、
前記変換手段は、前記設定手段により設定された前記撮影条件を所定のコード画像に変換することを特徴とする請求項２記載のカメラ装置。
【請求項４】
前記所定のコード画像は、２次元コード画像であることを特徴とする請求項１、２又は３記載のカメラ装置。
【請求項５】
前記生成手段により生成された前記コードを含む画像データを記憶する記憶手段を備えることを特徴とする請求項１から４にいずれか記載のカメラ装置。
【請求項６】
前記生成手段により生成された前記コードを含む画像データを外部に出力する出力手段を備えることを特徴とする請求項１から５にいずれか記載のカメラ装置。
【請求項７】
前記出力手段は、前記コードを含む画像データを表示手段又は外部機器へ出力する手段であることを特徴とする請求項６記載のカメラ装置。
【請求項８】
前記被写体の撮像に関連する情報を選択する選択手段を更に備え、
前記取得手段は、前記選択手段により選択された前記被写体の撮像に関連する情報を取得することを特徴とする請求項１から７にいずれか記載のカメラ装置。
【請求項９】
前記生成手段は、前記コードを含む画像データとして、前記コード画像と前記撮像手段により撮像された被写体画像との合成画像を含む画像ファイルを生成することを特徴とする請求項１から８にいずれか記載のカメラ装置。
【請求項１０】
前記撮像手段により撮像された被写体画像に含まれている前記コード画像に基づき、撮像条件を取得する撮影条件取得手段と、
この撮影条件取得手段により取得された前記撮像条件に従って前記撮像手段の撮像動作を制御する制御手段と
を備えることを特徴とする請求項１から９にいずれか記載のカメラ装置。
【請求項１１】
被写体画像とこの被写体画像の撮像に関連する情報を取得する取得手段と、
この取得手段により取得された前記被写体の撮像に関連する情報を所定のコード画像に変換する変換手段と、
この変換手段により変換された前記所定のコード画像と前記被写体画像とを合成することにより前記コード画像を含む画像データを生成する生成手段と
を備えることを特徴とする画像データ生成装置。
【請求項１２】
カメラ装置と外部機器とで構成されるカメラシステムであって、
前記カメラ装置は、
被写体を撮像する撮像手段と、
この撮像手段による前記被写体の撮像に関連する情報を取得する取得手段と、
この取得手段により取得された前記情報と前記撮像手段により撮像された被写体画像とを前記外部機器に出力する出力手段とを備え、
前記外部機器は、前記カメラ装置の出力手段から出力された前記情報を所定のコード画像に変換する変換手段と、
この変換手段により変換された前記所定のコード画像と前記前記カメラ装置の出力手段から出力された被写体画像とを合成することにより前記コード画像を含む画像データを生成する生成手段と
を備えることを特徴とするカメラシステム。
【請求項１３】
被写体を撮像する撮像工程と、
この撮像工程での前記被写体の撮像に関連する情報を取得する取得工程と、
この取得工程で取得された前記被写体の撮像に関連する情報を所定のコード画像に変換する変換工程と、
この変換工程で変換された前記所定のコード画像と前記撮像工程で撮像された被写体画像とを合成することにより前記コード画像を含む画像データを生成する生成工程と
を含むことを特徴とする撮像方法。
【請求項１４】
被写体を撮像する撮像手段を備えるカメラ装置が有するコンピュータを、
前記撮像手段による前記被写体の撮像に関連する情報を取得する取得手段と、
この取得手段により取得された前記被写体の撮像に関連する情報を所定のコード画像に変換する変換手段と、
この変換手段により変換された前記所定のコード画像と前記撮像工程で撮像された被写体画像とを合成することにより前記コード画像を含む画像データを生成する生成手段と
して機能させることを特徴とする撮像処理プログラム。
【発明の詳細な説明】
【技術分野】
【０００１】
本発明は、撮像に関連する情報をコード化する機能を備えたカメラ装置、画像データ生成装置及びカメラシステム、撮像方法並びに撮像処理プログラムに関する。
【背景技術】
【０００２】
従来、コードを撮影することにより、撮影条件を自動設定するカメラ装置が提案されるに至っている。このカメラ装置は、「ポートレイト」「夜景」等のシーンに対応して２次元コードが印刷された紙やシート材等の媒体を用いるものであり、この２次元コードが印刷された媒体はカメラメーカーからユーザに郵送され、あるいは、書籍に掲載されている。そして、この媒体を撮影すると、２次元コードが抽出されて、当該２次元コードが表している２次元コード情報が解析される。この２次元コード情報は、当該カメラ装置に設定することのできる撮影条件を内容とするものであり、したがって、２次元コードが印刷された媒体を撮影する簡単な操作により、撮影条件を設定することができるとするものである（例えば、特許文献１参照）。
【特許文献１】特開平２００１−３３３３２５号公報
【発明の開示】
【発明が解決しようとする課題】
【０００３】
しかしながら、前記２次元コードが印刷されている媒体の作成は、「ポートレイト」「夜景」等の撮影目的に応じた当該カメラの撮影条件を熟知しているカメラメーカーにおいてのみ作成可能であって、ユーザレベルでこれを作成することは困難である。したがって、ユーザがある撮影条件であるシーンを撮影した際、当該撮影シーンにおいてその撮影条件が極めて適切であったとしても、これをコード化して他人に供給することはできない。
【０００４】
本発明は、かかる従来の課題に鑑みてなされたものであり、ユーザレベルで撮影条件等をコード化した媒体を作成することのできるようにするためのカメラ装置、画像データ生成装置及びカメラシステム、撮像方法並びに撮像処理プログラムを提供することを目的とする。
【課題を解決するための手段】
【０００５】
前記課題を解決するため請求項１記載の発明にかかるカメラ装置にあっては、被写体を撮像する撮像手段と、この撮像手段による前記被写体の撮像に関連する情報を取得する取得手段と、この取得手段により取得された前記被写体の撮像に関連する情報を所定のコード画像に変換する変換手段と、この変換手段により変換された前記所定のコード画像と前記撮像手段により撮像された被写体画像とを合成することにより前記コード画像を含む画像データを生成する生成手段とを備える。
【０００６】
したがって、ユーザが当該カメラ装置で撮像を行うと、所定のコード画像を含む画像データが生成される。この画像データに含まれている前記所定のコード画像にあっては、被写体の撮像に関連する情報を示すものである。よって、ユーザがあるシーンを適切に撮像した後、この画像データを紙等の媒体に印刷出力したり、表示手段により表示することにより、ユーザレベルで、適切な撮像条件等の前記被写体の撮像に関連する情報をコード化した媒体を作成することが可能となる。
【０００７】
また、請求項２記載の発明にかかるカメラ装置にあっては、前記撮像に関連する情報は、前記撮像手段が前記被写体を撮像した際に当該カメラ装置に設定されている撮像条件である。したがって、ユーザがあるシーンを適切な撮像条件で撮像した後、この画像データを紙等の媒体に印刷出力することにより、ユーザレベルで適切な撮像条件をコード化した媒体を作成することが可能となる。
【０００８】
また、請求項３記載の発明にかかるカメラ装置にあっては、手動操作に応じて前記撮影条件を設定する設定手段を更に備え、前記撮像手段は、前記設定手段により設定された撮影条件に従って撮像動作し、前記変換手段は、前記設定手段により設定された前記撮影条件を所定のコード画像に変換する。すなわち、画像データに含まれている前記所定のコード画像にあっては、撮影条件を示すものであり、この撮影条件はマニュアル設定されたものである。よって、ユーザが撮影条件をマニュアル設定してあるシーンを適切に撮像した後、この画像データを紙等の媒体に印刷出力したり、表示手段により表示することにより、ユーザ（撮影者）レベルで、適切な独自の撮像条件をコード化した媒体を作成することが可能となる。
【０００９】
また、請求項４記載の発明にかかるカメラ装置にあっては、前記所定のコード画像は、２次元コード画像である。したがって、２次元コードを用いることにより、コード化可能な情報量を増大させて、多くの前記被写体の撮像に関連する情報をコード化した媒体を作成することが可能となる。
【００１０】
また、請求項５記載の発明にかかるカメラ装置にあっては、前記生成手段により生成された前記コードを含む画像データを記憶する記憶手段を備える。したがって、この記憶手段に記憶された画像データを媒体に出力することにより、随時、撮像に関連する情報をコード画像化した媒体を作成することが可能となる。
【００１１】
また、請求項６記載の発明にかかるカメラ装置にあっては、前記生成手段は、生成した前記画像データを外部に出力する出力手段を備える。したがって、直接的にプリンタ等の外部機器に画像データを出力して、撮像に関連する情報をコード化した媒体を容易に作成することが可能となる。
【００１２】
また、請求項７記載の発明にかかるカメラ装置にあっては、前記出力手段は、前記コードを含む画像データを表示手段又は外部機器へ出力する手段である。したがって、画像データを出力することにより、表示手段にコード画像等を表示させて、表示手段を撮像に関連する情報をコード化した媒体として用いたり、外部機器からの出力により、撮像に関連する情報をコード化した媒体を得る等が可能となる。
【００１３】
また、請求項８記載の発明にかかるカメラ装置にあっては、前記被写体の撮像に関連する情報を選択する選択手段を更に備え、前記取得手段は、前記選択手段により選択された前記被写体の撮像に関連する情報を取得する。したがって、選択手段により選択された任意の被写体の撮像に関連する情報をコード画像化することができる。
【００１４】
また、請求項９記載の発明にかかるカメラ装置にあっては、前記生成手段は、前記コードを含む画像データとして、前記コード画像と前記撮像手段により撮像された被写体画像との合成画像を含む画像ファイルを生成する。したがって、この画像ファイルを媒体に出力することにより、撮像に関連する情報をコード化した媒体を容易に作成することが可能となる。
【００１５】
また、請求項１０記載の発明にかかるカメラ装置にあっては、前記撮像手段により撮像された被写体画像に含まれている前記コード画像に基づき、撮像条件を取得する撮影条件取得手段と、この撮影条件取得手段により取得された前記撮像条件に従って前記撮像手段の撮像動作を制御する制御手段とを備える。したがって、このカメラ装置においては、ユーザレベルで、適切な撮像条件等の前記被写体の撮像に関連する情報をコード化した媒体を作成することが可能となるのみならず、コードを有する媒体を撮像することにより、自動的に適切な撮像条件を設定することも可能となる。
【００１６】
また、請求項１１記載の発明にかかる画像データ生成装置にあっては、被写体画像とこの被写体画像の撮像に関連する情報を取得する取得手段と、この取得手段により取得された前記被写体の撮像に関連する情報を所定のコード画像に変換する変換手段と、この変換手段により変換された前記所定のコード画像と前記被写体画像とを合成することにより前記コード画像を含む画像データを生成する生成手段とを備える。
【００１７】
したがって、生成手段により所定のコード画像を含む画像データが生成され、この画像データに含まれている前記所定のコード画像にあっては、被写体の撮像に関連する情報を示すものである。よって、この画像データを紙等の媒体に印刷出力したり、表示手段により表示することにより、個人レベルで、適切な撮像条件等の前記被写体の撮像に関連する情報をコード化した媒体を作成することが可能となる。
【００１８】
また、請求項１２記載の発明にあっては、カメラ装置と外部機器とで構成されるカメラシステムであって、前記カメラ装置は、被写体を撮像する撮像手段と、この撮像手段による前記被写体の撮像に関連する情報を取得する取得手段と、この取得手段により取得された前記情報と前記撮像手段により撮像された被写体画像とを前記外部機器に出力する出力手段とを備え、前記外部機器は、前記カメラ装置の出力手段から出力された前記情報を所定のコード画像に変換する変換手段と、この変換手段により変換された前記所定のコード画像と前記前記カメラ装置の出力手段から出力された被写体画像とを合成することにより前記コード画像を含む画像データを生成する生成手段とを備える。したがって、カメラ装置と外部機器とからなるシステムにおいて、請求項１記載の発明と同様の作用効果を奏する。
【００１９】
また、請求項１３記載の発明にかかる画像データ生成装置にあっては、被写体を撮像する撮像工程と、この撮像工程での前記被写体の撮像に関連する情報を取得する取得工程と、この取得工程で取得された前記被写体の撮像に関連する情報を所定のコード画像に変換する変換工程と、この変換工程で変換された前記所定のコード画像と前記撮像工程で撮像された被写体画像とを合成することにより前記コード画像を含む画像データを生成する生成工程とを含む。したがって、記載した工程に従って処理を実行することにより、請求項１記載の発明と同様の作用効果を奏する。
【００２０】
また、請求項１４記載の発明にかかる撮像処理プログラムにあっては、被写体を撮像する撮像手段を備えるカメラ装置が有するコンピュータを、前記撮像手段による前記被写体の撮像に関連する情報を取得する取得手段と、この取得手段により取得された前記被写体の撮像に関連する情報を所定のコード画像に変換する変換手段と、この変換手段により変換された前記所定のコード画像と前記撮像工程で撮像された被写体画像とを合成することにより前記コード画像を含む画像データを生成する生成手段として機能させる。したがって、前記コンピュータがこのプログラムに従って処理を実行することにより、請求項１記載の発明と同様の作用効果を奏する。
【発明の効果】
【００２１】
以上のように本発明によれば、ユーザが当該カメラ装置で撮像を行うことにより、所定のコード画像を含む画像データを生成することができる。この画像データに含まれている前記所定のコード画像にあっては、撮像した際の被写体の撮像に関連する情報である。よって、ユーザがあるシーンを適切に撮像した後、この画像データを紙等の媒体に印刷出力したり、あるいは、モニター等の表示手段により表示させることができ、その結果、ユーザレベルで、適切な撮像条件等の前記被写体の撮像に関連する情報をコード化した媒体を作成することが可能となる。
【発明を実施するための最良の形態】
【００２２】
以下、本発明の一実施の形態を図に従って説明する。図１は本発明の一形態に係る電子スチルカメラ１の斜視図である。この電子スチルカメラ１の本体２には、その前面部に撮像レンズ３が配置され、上面部にモードスイッチ４、光学ファインダ５及びシャッターボタン６が配置されている。また、背面部には、ダイアル７、ジョグダイアル８、ＭＥＮＵボタン９、カーソルキー＆ＯＮキー１０、ＤＩＳＰキー１１及びタッチパネル付きの電子ファインダ表示部１２が配置され、側面部にはＵＳＢなどの外部入出力端子部１３が配置されている。そして、ダイアル７の操作により後述するフローチャートに示す各種モードが設定され、各種モードが設定されている状態でカーソルキー＆ＯＮキー１０が操作されることにより、当該モードにおける選択肢の選択が可能となる。また、電子ファインダ表示部１２は、ＬＣＤパネルからなり、記録された静止画を再生表示するモニタとしての機能も兼用する。
【００２３】
図２は、電子スチルカメラ１の回路構成を示すブロック図である。図に示すように、前記シャッターボタン６は、半押し時点と全押し時点とで夫々オンとなる２段スイッチ１４に連係され、ＯＮキー１０はこれを操作している間のみオンとなる常開スイッチ１５の上部に配置されている。その他の操作部１６は、シャッターボタン６とＯＮキー１０以外の前記図１に示した各種キー等に対応するスイッチ群で構成されている。また、前記電子ファインダ表示部１２には、タッチパネル１７が積層され、タッチパネル座標入力部１８はタッチパネル１７上のタッチした位置座標を検出する。そして、これらのスイッチ群の操作情報及び前記位置座標情報は、入力回路１９を介して、制御回路２０に入力される。
【００２４】
制御回路２０は、ＣＰＵ及びその周辺回路と、後述するフローチャートに示すプログラムや電子スチルカメラとして機能するに必要なプログラム等が格納されているＲＯＭ、ＣＰＵの作業用メモリであるＲＡＭ等から構成されるマイクロコンピュータであり、各部を制御する。この制御回路２０には、表示メモリ２１、表示駆動ブロック２２、画像バッファメモリ２３、画像信号処理部２４、静止画／動画画像データメモリ２５、印刷設定データメモリ２６、２次元コードの符号器／復号器２７、外部メモリインタフェース２８、外部Ｉ／Ｏインターフェース２９及び電源制御ブロック３０が接続されている。表示メモリ２１には、電子ファインダ表示部１２に表示される各種表示データが一時的に記憶される。表示駆動ブロック２２は、前記ＬＣＤパネルからなる電子ファインダ表示部１２を駆動し、画像バッファメモリ２３は、画像データを処理する際等において一時的に格納する。  画像信号処理部２４は、後述する撮像素子から制御回路２０が取り込んだ画像信号に対する各種処理を実行するＤＳＰからなる。静止画／動画画像データメモリ２５は、シャッターボタン６の操作により撮像された画像データ（静止画データ、動画データ）を記録保存する。外部メモリインタフェース２８は、着脱自在な外部メモリ３１に接続されている。外部Ｉ／Ｏインターフェース２９は、ＬＡＮ通信ＩＦ３２を介してＬＡＮコネクタ３３に接続され、ＵＳＢ通信ＩＦ３４を介してＵＳＢコネクタ３５に接続されているとともに、外部Ｉ／Ｏコネクタに接続されている。電源制御ブロック３０には、電池３７と充電制御ブロック３８とが接続されており、これら電池３７と充電制御ブロック３８からの電力は電源制御ブロック３０及び制御回路２０を介して各部に供給される。
【００２５】
さらに、制御回路２０には、表示駆動ブロック４９と撮影制御部４７とが接続されている。撮影制御部４７は、焦点制御ブロック５０、ズーム制御ブロック５１、絞り制御ブロック５２、シャッター制御ブロック５３、信号処理部５４、タイミング制御＆ドライバ５５、色温度検出ブロック４８、測光部５６、測距部５７、及びフラッシュ制御ブロック５８とを有している。表示駆動ブロック４９は、前記光学ファインダ５から視認可能な位置に配置され透光性を有する情報表示部５９を駆動する。焦点制御ブロック５０は、被写体像を合焦させるべく撮像レンズ３を駆動するレンズ駆動ブロック６０を制御し、ズーム制御ブロック５１は、ズームレバー（図示せず）の操作や制御回路２０により制御されて被写体像を拡大又は縮小すべく撮像レンズ３を駆動するレンズ駆動ブロック６１を制御する。
【００２６】
絞り制御ブロック５２は、撮像レンズ３と撮像素子６４との間に配置された絞り６２を制御し、シャッター制御ブロック５３は、絞り６２と撮像素子６４との間に配置されたシャッター６３を制御する。信号処理部５４は、オートホワイトバランス制御ブロック４６、Ａ／Ｄ回路４５、ＣＤＳ／ＡＧＣ４４を介して撮像素子６４より入力されるアナログ画像信号をデジタル信号に変換する。タイミング制御＆ドライバ５５は、タイミング信号を発生してＣＣＤからなる撮像素子６４とＣＤＳ／ＡＧＣ４４とを駆動する。ＣＤＳ／ＡＧＣ４４は、撮像素子６４から出力された撮像信号を保持するＣＤＳと、ＣＤＳから撮像信号を供給されるアナログアンプであるゲイン調整アンプ（ＡＧＣ）とからなる。
【００２７】
色温度検出ブロック４８は測光、測距センサ６６からの出力信号に基づき、被写体像の色温度を検出する。測光部５６は、測光、測距センサ６６からの測光信号を処理して制御回路２０に入力し、測距部５７は測距信号を処理して制御回路２０に入力する。フラッシュ制御ブロック５８は、フラッシュ／ストロボ６８を駆動するフラッシュ駆動ブロック６７を制御する。
【００２８】
なお、ＵＳＢコネクタ３５には、ＵＳＢケーブル１００を介して、プリンタ１０１やパソコン１０２が接続され、パソコン１０２にはプリンタ１０１が接続される。
【００２９】
以上の構成に係る本実施の形態において、制御回路２０は、前記プログラムに従って、図３及び図４に示す一連のフローチャートに示す処理を実行する。先ず、撮影モードが設定されているか否かを判断し（ステップＳ１）、撮影モードが設定されている場合には、撮影条件を設定するとともに（ステップＳ２）、測光処理、測距処理を実行する（ステップＳ３）
【００３０】
前記撮影条件の設定に際しては、レンズ駆動ブロック６０、６１、撮像素子６４を含む撮像部を初期設定し、測光、測距センサ６６を含む測光部、測距部を起動するとともに、フラッシュ駆動ブロック６７の充電を起動させる。また、ダイアル７の操作により絞り優先ＡＥが設定されているか否かを判断し、設定されている場合には、ＭＥＮＵボタン９等の操作によりユーザーが入力した絞り値Ｆ（又はＡｖ値）を設定する。さらに、測光した必要露出量ＥＶと設定絞り値Ａｖを元に最適なＴｖ値（Ｔｖ＝ＥＶ−Ａｖ等）に対応するシャッター速度Ｔに設定する。
【００３１】
また、絞り優先ＡＥでない場合には、シャッター速度優先ＡＥであるか否かを判断し、シャッター速度優先ＡＥである場合には、ユーザーが入力したシャッター速度Ｔ（又はＴｖ値）を設定する。さらに、必要露出量ＥＶと設定シャッター速度Ｔｖを元に最適なＡｖ値（Ａｖ＝ＥＶ−Ｔｖ等）に対応する絞り値Ｆに設定する。また、シャッター速度優先ＡＥでない場合には、被写界深度優先ＡＥであるか否かを判断し、被写界深度優先ＡＥである場合には、ユーザーが入力した被写界深度幅Ｚ又は被写界深度限界近点、遠点（Ｌｍｉｎ，Ｌｍａｘ）を設定する。さらに、焦点距離ｆ、撮影距離Ｌ、設定被写界深度Ｚ又は近点、遠点に近い被写界深度を実現する絞りＦを算出し、必要露出量ＥＶと求めた絞り値Ｆとから最適なシャッター速度Ｔに設定する（Ｔｖ＝ＥＶ−Ａｖ）。
【００３２】
引き続き、ズーム処理、オートフォーカス処理を実行して、ズームレバーの操作に応じて被写体像を拡大又は縮小すべく撮像レンズ３を駆動するとともに、被写体像を撮像素子６４上に結像させる（ステップＳ４）。次に、撮像素子６４上に結像されている被写体像を撮像スルー画像として電子ファインダ表示部１２に表示させ（ステップＳ５）、シャッターボタン６が全押しされて撮影指示がなされたか否かを判断する（ステップＳ６）。撮影指示がなされた場合には、この時点でも測光処理を行って（ステップＳ７）、前記ステップＳ２で設定された撮影条件と測光値に従い、静止画を撮影する（ステップＳ８）。つまり、シャッターボタン６が全押し操作に伴って撮像素子６４から画像バッファメモリ２３に取り込まれた撮像画像に対する処理を行う。引き続き、前記撮像画像を符号化し、この符号化した画像データとともに、撮影情報（前記ステップＳ２で設定された撮影条件を含む測光値等の当該撮影画像に関連する情報）を画像データメモリ２５又は外部メモリ３１に記録する（ステップＳ９）。さらに、その他のキー処理、及び表示処理を実行した後（ステップＳ１０）、リターンする。
【００３３】
一方、ステップＳ１での判断の結果、撮影モードが設定されていない場合には、２次元コードの撮影／読み取りモードが設定されているか否かを判断する（ステップＳ１１）。２次元コードの撮影／読み取りモードが設定されている場合には、ズーム制御ブロック５１を駆動して、レンズ駆動ブロック６１を制御し、マクロモードを設定する（ステップＳ１２）。次に、撮像素子６４上に結像されている被写体像を撮像スルー画像として電子ファインダ表示部１２に表示させ（ステップＳ１３）、シャッターボタン６が全押しされて撮影指示がなされたか否かを判断する（ステップＳ１４）。
【００３４】
撮影指示がなされた場合には、コード読み取りの為の撮影処理を行って（ステップＳ１５）、前記２次元コードを含む静止画を撮影し、シャッターボタン６が全押し操作に伴って撮像素子６４から画像バッファメモリ２３に取り込まれた撮像画像をＲＡＭに保存する。そして、この保存した撮影画像からコード領域を抽出し（ステップＳ１６）、この抽出したコード領域に含まれている２次元コードを２次元コードの符号器／復号器２７にて復号処理して（ステップＳ１７）、出力させる（ステップＳ１８）。この出力させた復号データが撮影条件データを含むものであるか否かを判断し（ステップＳ１９）、含まない場合にはその他の処理を実行して（ステップＳ２１）、前記ステップＳ１０に進む。また、撮影条件データを含むものである場合には、復号された撮影条件データに基づき撮影条件を自動設定した後（ステップＳ２０）、前述したステップＳ３以降の処理を実行する。
【００３５】
他方、ステップＳ１１での判断の結果、２次元コードの撮影／読み取りモードが設定されていない場合には、再生モードが設定されているか否かを判断し（図４ステップＳ２２）、再生モードが設定されていない場合には、その他のモード処理に移行する（ステップＳ２５）。また、再生モードが設定されている場合には、ユーザよるその他の操作部１６での操作によって、再生表示が指示されたか否かを判断する（ステップＳ２３）。再生表示が指示された場合には、選択された画像データを画像データメモリ２５又は外部メモリ３１から読み出し、復号して電子ファインダ表示部１２に表示させる（ステップＳ２４）。
【００３６】
しかし、ステップＳ２３での判断の結果、再生表示が指示されなかった場合には、ユーザよるその他の操作部１６での操作によって、２次元コード付画像の作成（２次元コード付画像作成モード）が設定されたか否かを判断する（ステップＳ２６）。２次元コード付画像の作成が設定された場合には、選択されている画像の撮影情報を読み込む（ステップＳ２７）。そして、設定条件に従い、撮影情報などを符号化して、２次元コード画像作成し（ステップＳ２８）、作成した２次元コード画像を前記選択されている画像の一部（隅部等）に合成する（ステップＳ２９）。なお、このステップＳ２９における「設定条件」については後述する。さらに、この合成された画像データを圧縮符号化し、撮影情報とともに画像データメモリ２５又は外部メモリ３１に記憶する（ステップＳ３０）。
【００３７】
また、ステップＳ２６での判断の結果、２次元コード付画像の作成が指示されなかった場合には、ＤＰＯＦ／印刷の設定が選択されたか否かを判断し（ステップＳ３１）、選択されなかった場合には、その他の再生処理に移行する（ステップＳ４４）。ＤＰＯＦ／印刷の設定が選択された場合には、設定条件に従い、撮影情報などを符号化して、２次元コード画像作成し（ステップＳ３４）、作成した２次元コード画像を前記選択されている画像の一部（隅部等）に合成する（ステップＳ３５）。なお、前記ステップＳ３４における「設定条件」については後述する。さらに、この合成された画像データを圧縮符号化し、撮影情報とともに新たな画像データとして画像データメモリ２５又は外部メモリ３１に記憶する（ステップＳ３６）。そして、この画像データメモリ２５又は外部メモリ３１に記憶した当該画像データを印刷画像データとして指定する（ステップＳ３７）。
【００３８】
次に、ユーザよるその他の操作部１６での操作によって、日付印刷などの指定があったか否かを判断し（ステップＳ３８）、あった場合には選択画像（ステップＳ３７で指定した画像データ）を日付印刷などに設定する（ステップＳ３９）。また、印刷枚数の指定があったか否かを判断し（ステップＳ４０）、あった場合には前記選択画像の印刷枚数を設定する（ステップＳ４１）。さらに、設定終了操作があったか否かを判断し（ステップＳ４２）、あった場合には各選択画像と各印刷枚数を印刷設定（ＤＰＯＦ）ファイルとしてＲＡＭに記憶する（ステップＳ４３）。
【００３９】
したがって、このＲＡＭに記憶された印刷設定（ＤＰＯＦ）ファイルが外部Ｉ／Ｏインターフェース２９、ＵＳＢ通信ＩＦ３４、ＵＳＢコネクタ３５及びＵＳＢケーブル１００を介してプリンタ１０１に出力されて取り込まれ、あるいは、パソコン１０２を介してプリンタ１０１に出力されて取り込まれることとなる。すると、プリンタ１０１は印刷設定（ＤＰＯＦ）ファイルに基づき印刷を実行し、これにより、プリンタ１０１から出力される紙（媒体）には、画像とともにその一部に当該画像の撮影条件を示す２次元コードが印刷されることとなる。
【００４０】
したがって、当該電子スチルカメラ１のユーザあるいは他のユーザは、この媒体に印刷された画像を視認することができる。そして、あるユーザが媒体に印刷された画像を見て感動し、これと同様のシーンを同様の撮影条件で撮影したいと思った場合には、当該ユーザの電子スチルカメラ１を用いて、前記２次元コードの撮影／読み取りモード（ステップＳ１１参照）で前記媒体を撮影する。すると、前述したステップＳ１３〜Ｓ２１の処理が実行され、これにより、あるユーザが所有する電子スチルカメラ１に、他のユーザが撮影した撮影条件が自動設定されて、同様に感動し得るシーンを撮影することが可能となる。
【００４１】
図５は、本実施の形態における電子スチルカメラ１の撮影画像データ及び撮影情報の記録処理の概要を示す説明図である。すなわち、２次元コード付画像作成モードにおいては、撮影された画像データ２０１の撮影条件などの撮影情報２０２、あるいはメモリーカード等に保存記録された選択して再生された画像において、各画像データ２０１に付随の撮影条件などの撮影情報２０２基づいて、ＱＲコードなどの２次元コード画像を符号化して生成し、オリジナル画像２０３と２次元コード画像２０４を合成して出力する。又は、当該された画像データを圧縮符号化して（２０５）、新たな画像データ２０６として記録保存するように制御する。
【００４２】
あるいは、電子スチルカメラ１に内蔵のＤＰＯＦ印刷設定メニューなどの設定モードにおいて、通常の画像印刷や日付付き印刷の代わりに、「２次元コード付印刷」が指定された場合には（ステップＳ３４参照）、当該画像の画像データとともに記憶されている撮影条件などの撮影情報に基づいて、撮影条件などの撮影情報を表す文字テキスト画像を生成して、当該画像とともに合成した画像を生成し、合成された画像データを圧縮符号化して新たなファイル名の新たな画像データとして記録保存し、当該オリジナル画像の代わりに新たに記録した合成画像をＤＰＯＦ印刷指定の画像として設定するように制御する。
【００４３】
また、「２次元コード付印刷」が指定された場合には、当該画像の画像データとともに記録されている撮影条件などの撮影情報に基づいて、撮影条件などの撮影情報を表すＱＲコードなど２次元コードに符号化して、撮影条件などの撮影情報を表す２次元コード画像を生成して、当該画像とともに合成した画像を生成する。合成された画像データを圧縮符号化して新たなファイル名の新たな画像データとして記録保存し、当該オリジナル画像の代わりに新たに記録した合成画像をＤＰＯＦ印刷指定の画像として設定するように制御する。
【００４４】
図６は、前記ステップＳ３１又はステップＳ３７で記録された画像データ及びこの画像データに基づき印刷された２次元画像付きの画像の例を示す図である。図示のように、撮影画像３０１とともに、その右下端などの所定の位置に、撮影条件などの撮影情報を符号化した２次元コード３０２を合わせて合成したものである。あるいは、図示のように、さらに撮影条件などの撮影情報の文字テキスト情報３０３を画像化して合わせて合成するように指定して、画像データの生成あるいは印刷設定を行ってもよい。
【００４５】
図７は、図４のステップＳ２３〜Ｓ３１において前記２次元コード付画像を作成する際に、電子ファインダ表示部１２の表示遷移例と操作例を示す図である。先ず、（ａ）に示すように、画像データメモリ２５又は外部メモリ３１から再生画像データを読み出して、電子ファインダ表示部１２に再生画像を表示する。また、［ＩＮＤＥＸ］が設定されている場合には、（ｂ）に示すように、画像データメモリ２５又は外部メモリ３１に記憶されている画像をインデックス一覧表示する。この状態で、ＭＥＮＵボタン９が操作されると、（ｃ−１）に示すように、再生設定メニュー表示１を行い、この再生設定メニュー表示１において「ＤＰＯＦ／印刷設定」が選択されている状態で、カーソルキー＆ＯＮキー１０の下カーソルキーが操作されると、（ｃ−２）に示す再生メニュー表示２を行う。
【００４６】
この再生メニュー表示２において「２次元コード付画像の作成」が選択されている状態で、カーソルキー＆ＯＮキー１０の下カーソルキーが操作されると、（ｄ−１）に示すコード付き画像の作成メニューを表示する。コード付き画像の作成メニューが表示されている状態で、ＤＩＳＰキー１１又はカーソルキー＆ＯＮキー１０の下カーソルキーが操作されると、前記（ｄ−１）のコード付き画像の作成メニューと、（ｄ−２）の２次元コードの設定メニューとを切替表示する。また、（ｄ−２）の２次元コードの設定メニューが表示されている状態で、ＤＩＳＰキー１１又はカーソルキー＆ＯＮキー１０の下カーソルキーが操作されると、この（ｄ−２）の２次元コードの設定メニューと（ｄ−３）の２次元コードに入れる情報の設定とを切替表示する。
【００４７】
なお、（ｄ−３）の２次元コードに入れる情報の設定画面においては、図示のように「撮影情報」「画像特徴情報」「ＵＲＬ」「メッセージ」の情報項目が表示され、各項情報目に対応する「切」を「入」に変更することにより、当該項目が設定されたこととなる。したがって、前記ステップＳ２９における「設定条件」とは、予め選択された情報項目を意味する。
【００４８】
また、（ｄ−１）のコード付き画像の作成メニューが表示されている状態で、カーソルキー＆ＯＮキー１０で［ＯＫ］操作がなされると、（ｄ−４）の作成されたコード付画像の確認画面に移行し、数秒後に自動的に（ａ）の画像再生表示又は（ｂ）のインデックス一覧表に戻る。
【００４９】
図８は、図４のステップＳ３２〜Ｓ４４において、２次元コード付画像のＤＰＯＦ／印刷設定を行う際の、電子ファインダ表示部１２の表示遷移例と操作例を示す図である。先ず、（ａ）に示すように、画像データメモリ２５又は外部メモリ３１から再生画像データを読み出して、電子ファインダ表示部１２に再生画像を表示する。また、［ＩＮＤＥＸ］が設定されている場合には、（ｂ）に示すように、画像データメモリ２５又は外部メモリ３１に記憶されている画像をインデックス一覧表示する。この状態で、ＭＥＮＵボタン９が操作されると、（ｃ）に示すように、再生設定メニュー表示１を行い、この再生設定メニュー表示１において「ＤＰＯＦ／印刷設定」が選択されている状態で、カーソルキー＆ＯＮキー１０の右カーソルキーや下カーソルキーが操作されると、（ｄ−１）に示すＤＰＯＦ／印刷設定メニュー表示を行う。
【００５０】
このＤＰＯＦ／印刷設定メニュー表示において「ＳＮ宅画像をプリント」が選択されている状態で、カーソルキー＆ＯＮキー１０の右カーソルキーが操作されると、（ｄ−２）の印刷画像と印刷枚数の設定画面に移行する。印刷画像と印刷枚数の設定画面において、左右カーソルキーが操作されると画像を選択表示し、上下カーソルキーが操作されると、設定印刷枚数を増減する。また、（ｄ−２）の印刷画像と印刷枚数の設定画面が表示されている状態で、ＤＩＳＰキー１１又はカーソルキー＆ＯＮキー１０の下カーソルキーが操作されると、この（ｄ−２）の印刷画像と印刷枚数の設定画面と、（ｄ−３）の日付や２次元コードの印刷の設定画面とを切替表示する。
【００５１】
なお、（ｄ−３）の日付や２次元コードの印刷の設定画面においては、図示のように「日付の印刷」「撮影情報の印刷」「画像特徴の印刷」「２次元コードの印刷」の印刷項目が表示され、各印刷報目に対応する「切」を「入」に変更することにより、当該項目が設定されたこととなる。したがって、前記ステップＳ２９における「設定条件」とは、予め選択された印刷項目を意味する。
【００５２】
図９は、ＳＤカード画像メモリカード媒体などの外部メモリ３１における、画像データファイル、及びＤＰＯＦ印刷設定ファイルなどのディレクトリーの構成例を示す図である。図示のように、画像ファイルを格納するフォルダＤＣＩＭ、再生プレイリスト等を格納するフォルダＡＬＢＵＭ、ＤＰＯＦファイルを格納するフォルダＭＩＳＣ、メディア全体の見出しメタ情報記述ファイルＩＮＤＥＸ．ＰＶＭを設ける。そして、フォルダＤＣＩＭには、画像ファイルやディレクトリ内画像の特徴記述データ（ＭＰＶ、ＭＰＥＧ７、ＸＭＬ等で記述）を格納し、フォルダＡＬＢＵＭには、プレイリスト記述データ（ＭＰＶ、ＭＰＥＧ７、ＸＭＬ等で記述）等を格納する。また、フォルダＭＩＳＣには、ＤＰＯＦファイルを構成する自動プリントファイル、ＵＮＩＣＯＤＥ文字列記述ファイル、自動送信ファイル、自動再生ファイルを格納する。
【００５３】
図１０は、ＥＸＩＦＪＰＥＧ圧縮データファイルの構造例を示す図である。すなわち、ＥＸＩＦ規格のＪＰＥＧ圧縮符号化画像データファイルのＥＸＩＦ  ＩＦＤ（情報ＴＡＧ情報）など、画像データファイルのヘッダ部などに、ファイル名や撮影日時などとともに、露出時間、Ｆ値などの露出データ、又は、露出プログラム、感度、シャッタ速度、絞り値、輝度値、露出補正値、被写体距離、測光方式、光源、ＷＢ設定条件、焦点距離などの撮影条件データ、もしくは、撮影情報などを記録するものである。前述の撮影情報テキスト付画像や撮影情報を符号化した２次元コード付き画像の作成時には、このようにして、画像メモリカード媒体などの外部メモリ３１に記憶されたデータファイルのヘッダ部などから、抽出あＳれた撮影条件などの撮影情報に基づいて、撮影情報テキスト付き画像や
次元コード付画像が作成される。
【００５４】
図１１は、本実施の形態におい用いる２次元コードの構成例を示す図である。本実施の形態における２次元コードとしては、ＱＲコード、ＰＤＦ４１７、Ｄａｔａ  Ｍａｔｒｉｘ、Ｍａｘｉ  Ｃｏｄｅを用いることができる。特にＱＲコードでは、モデルやバージョンを選択して情報量やサイズを変えることができ、モデル２のバージョン４０では、数字で最大７０８９字、英字で７２９６もの情報を記録でき、漢字なども圧縮して１８１７字まで記録できるので、シャッター速度や絞り値などの簡単な撮影条件だけでなく、詳細な撮影条件データや撮影条件の組合せデータや撮影後の画像処理方法なども記録することができる。
【００５５】
図１２は、ＱＲコードの構成を示す図である。図示のように、ＱＲコード４００は、セパレータ４０１、フォーマット情報４０２、切り出しシンボル４０３、タイミングパターン４０４、マージン（４セル）４０５、データセル４０６及びアライメントパターン４０７で構成されている。なお、ＱＲコードを構成する最小の単位（白黒の正方形）をセルといい、ＱＲコードはセルの組合せで表される。
【００５６】
図１３は、前記ＱＲコード４００を用いた場合における前記ステップＳ２８及びステップＳ３４における処理手順の詳細を示すフローチャートである。先ず、符号化するデータを読み込み（ステップＳ１０１）、データ量をカウント（計数）する（ステップＳ１０２）。次に、誤り訂正レベル（７％／１５％／２５％）を設定し（ステップＳ１０３）、データ量と誤り訂正量に応じて、２次元コードのバージョンを設定する（ステップＳ１０４）。さらにプリンタ解像度もしくはスキャナ分解能を設定するとともに（ステップＳ１０５）、セルサイズを設定する（ステップＳ１０６）。引き続き、バージョンとセルサイズに応じて、２次元コードの大きさ、領域を設定し（ステップＳ１０７）、余白マージンを確保し、ファインダパターン、アライメントパターン、タイミングパターン等を描画するとともに（ステップＳ１０８）、フォーマット情報などを符号化し、フォーマット領域に描画する（ステップＳ１０９）。
【００５７】
次に、設定された誤り訂正量に応じて、所定データ群毎にリードソロモン符号などの誤り訂正符号を生成し（ステップＳ１１０）、データと誤り訂正符号とを白黒などの領域に符号化し、データ領域に描画していく（ステップＳ１１１）。そして、全てのデータを符号化したか否かを判断し（ステップＳ１１２）、全てのデータを符号化するまでステップＳ１１０〜Ｓ１１２の処理を繰り返す。全てのデータを符号化したならば、余ったデータ領域を空白データ及び誤り訂正符号で埋める（ステップＳ１１３）。
【００５８】
図１４は、本実施の形態おける２次元コードの読み取り処理と撮影条件の自動設定処理の概要を示す説明図である。すなわち、オリジナル画像５０１とその撮影情報の２次元コード５０２とが印刷された撮影情報の２次元コード入りの画像５００を撮影操作１により撮影する。そして、２次元コード領域を抽出して復号化して、撮影条件などの撮影情報データを得る。この得られた撮影情報データを自動設定して、撮影操作２により前記オリジナル画像５０１と同様のシーンを撮影する。この撮影操作２により撮影した画像データを圧縮、符号化するとともに、前記自動設定した撮影条件などの撮影情報データを付加して、画像データ・ファイル５０３を生成、記憶する。
【００５９】
図１５は、前記ステップＳ１７の２次元コードの復号処理の詳細を示すフローチャートである。先ず、２次元コード領域を撮影処理もしくはスキャン処理して（ステップＳ２０１）、撮影／スキャン処理した画像データを取り込む（ステップＳ２０２）。この取り込んだ画像データの画像強調又は先鋭化、雑音除去、回転補正、歪み補正などの前処理を行った後（ステップＳ２０３）、撮影／スキャンした画像から２次元コードの領域を抽出する（ステップＳ２０４）。この抽出した２次元コードの領域においてファインダパターン等を検出し（ステップＳ４０５）、ＱＲコードのファインダパターン（切り出しシンボル）を検出したか否かを判断する（ステップＳ２０６）。
【００６０】
この判断の結果、ＱＲコードのファインダパターンが検出された場合には、読み込んだ２次元コードはＱＲコードである。したがって、次にタイミングパターン領域を検出して（ステップＳ２０７）、このタイミングパターンに基づいて、データ領域を２値化処理してメモリー（ＲＡＭ）に記憶するとともに（ステップＳ２０８）、フォーマット情報領域を抽出し、フォーマット情報を復号する（ステップＳ２０９）。次に、この復号したフォーマット情報に基づいて、データ領域のデータを復号（デコード）処理し、復号データを順次メモリーに記憶し（ステップＳ２１０）、また、エラー訂正符号に基づいて、データの誤りを補正する（ステップＳ２１１）。そして、全てのデータを復号したか否かを判断し（ステップＳ２１２）、全てのデータを復号するまでステップＳ２１０〜Ｓ２１２の処理を繰り返す。全てのデータを復号したならば、復号したデータを出力する（ステップＳ２１３）。
【００６１】
一方、ステップＳ２０６での判断の結果、ＱＲコードのファインダパターンが検出されず、読み込んだ２次元コードがＱＲコードでない場合には、Ｄａｔａ  Ｍａｔｒｉｘのファインダパターンを検出したか否かを判断する（ステップＳ２１４）。Ｄａｔａ  Ｍａｔｒｉｘのファインダパターンを検出した場合には、読み込んだ２次元コードは、Ｄａｔａ  Ｍａｔｒｉｘであることから、Ｄａｔａ  Ｍａｔｒｉｘコードのデコード処理を行って（ステップＳ２１５）、前記ステップＳ２１３に進む。また、Ｄａｔａ  Ｍａｔｒｉｘのファインダパターンを検出しなかった場合には、読み込んだ２次元コードは、その他の形式のコードであることから、その他の形式のデコード処理を行って（ステップＳ２１６）、前記ステップＳ２１３に進む。
【００６２】
なお、本発明の実施の形態においては、撮影した画像の撮影条件などを符号化した２次元コードと当該画像とを合成し、新たな画像データとして圧縮符号化して保存記録したり印刷出力するようにしたが、撮影した画像を合成することなく、撮影条件などを符号化した２次元コードのみを新たな画像データとして保存記録したり印刷出力するようにしてもよい。また、２次元コードとともに撮影条件などを表す文字テキストやＯＣＲ専用文字の画像も合成して新たな画像データとするようにしてもよい。また、撮影モードに対応して撮影条件とともに撮影シーンの画像サンプルや説明文などを表示し、その中から撮影モードを選択する電子スチルカメラにおいては、２次元コードの中に撮影条件とともに、撮影シーン名や説明文、サンプル画像頁のＵＲＬ、画像の特徴記述データなども合わせて記録し、これらを当該電子スチルカメラで撮影して読み取り、内蔵メモリーに記録できるようにしてもよい。
【００６３】
また、実施の形態においては、被写体を撮像、被写体の撮像に関連する情報を取得、取得された被写体の撮像に関連する情報のコード画像への変換、変換されたコード画像と前記撮像された被写体画像との合成を全て電子スチルカメラ１側で行うようにした。しかし、電子スチルカメラ１側では被写体を撮像、被写体の撮像に関連する情報を取得のみを行い、プリンタ１０１等の外部機器側で取得された被写体の撮像に関連する情報のコード画像への変換、変換されたコード画像と前記撮像された被写体画像との合成を行うようにしてもよい。この場合、図４に示したフローチャートにおけるステップＳ２７〜Ｓ３０の処理、あるいはステップＳ３４〜Ｓ４３の処理をプリンタ１０１等の外部機器側で行えばよい。
【００６４】
また、本実施の形態においては、プリンタ１０１から出力される紙を媒体として用い、この媒体としての紙に、画像とともにその一部に当該画像の撮影条件を示す２次元コードが印刷するようにした。しかし、パソコン１０２が有するモニター等の表示手段を媒体として用い、この媒体として表示手段に、画像とともにその一部に当該画像の撮影条件を示す２次元コードを表示させるようにしてもよい。
【図面の簡単な説明】
【００６５】
【図１】本発明の一形態に係る電子スチルカメラの斜視図である。
【図２】同電子スチルカメラの回路構成を示すブロック図である。
【図３】同電子スチルカメラの処理手順を示すフローチャートである。
【図４】図３に続くフローチャートである。
【図５】本実施の形態における撮影画像データ及び撮影情報の記録処理の概要を示す説明図である。
【図６】２次元画像付きの画像の例を示す図である。
【図７】２次元コード付画像を作成する際の表示遷移例と操作例を示す図である。
【図８】２次元コード付画像のＤＰＯＦ／印刷設定を行う際の表示遷移例と操作例を示す図である。
【図９】画像データファイル及びＤＰＯＦ印刷設定ファイルなどのディレクトリーの構成例を示す図である。
【図１０】ＥＸＩＦＪＰＥＧ圧縮データファイルの構造例を示す図である。
【図１１】本実施の形態におい用いる２次元コードの構成例を示す図である。
【図１２】ＱＲコードの構成を示す図である。
【図１３】ステップＳ２８及びステップＳ３４における処理手順の詳細を示すフローチャートである。
【図１４】本実施の形態おける２次元コードの読み取り処理と撮影条件の自動設定処理の概要を示す説明図である。
【図１５】ステップＳ１７の２次元コードの復号処理の詳細を示すフローチャートである。
【符号の説明】
【００６６】
１    電子スチルカメラ
２    本体
３    撮像レンズ
５    光学ファインダ
６    シャッターボタン
１２    電子ファインダ表示部
１３    外部入出力端子部
１６    操作部
１９    入力回路
２０    制御回路
２１    表示メモリ
２２    表示駆動ブロック
２３    画像バッファメモリ
２４    画像信号処理部
２５    画像メモリ
２６    印刷設定データメモリ
２７    符号器／復号器
２８    外部メモリインタフェース
３１    外部メモリ
４９    表示駆動ブロック
５０    焦点制御ブロック
５１    ズーム制御ブロック
５３    シャッター制御ブロック
５４    信号処理部
５５    ドライバ
５６    測光部
５７    測距部
５８    フラッシュ制御ブロック
５９    情報表示部
１００    ＵＳＢケーブル
１０１    プリンタ
１０２    パソコン
【図１】
2007166265.tif 000003
【図２】
2007166265.tif 000004
【図３】
2007166265.tif 000005
【図４】
2007166265.tif 000006
【図５】
2007166265.tif 000007
【図６】
2007166265.tif 000008
【図７】
2007166265.tif 000009
【図８】
2007166265.tif 000010
【図９】
2007166265.tif 000011
【図１０】
2007166265.tif 000012
【図１１】
2007166265.tif 000013
【図１２】
2007166265.tif 000014
【図１３】
2007166265.tif 000015
【図１４】
2007166265.tif 000016
【図１５】
2007166265.tif 000017